(57)【要約】【課題】食器洗い機本体を設置台上を滑らして押し込んでいく際に、給水ホース、排水ホースが設置作業により転倒防止金具と筐体の間に挟まれないようにする。【解決手段】洗浄槽３を前後方向に移動可能に支持する筐体１６と、筐体１６の背面上部から外部に垂下するように配設された、洗浄槽３内に水を給水する給水ホース２３及び洗浄槽３内の水を槽外へ排水する排水ホース２４と、設置台１３等に取り付け筐体１６を含む食器洗い機本体１８が手前に転倒するのを防止する転倒防止金具２２とを備え、転倒防止金具２２は食器洗い機本体１８が後方へ移動するのを防止するように設置台１３等に取り付けられ、設置台１３は、転倒防止金具２２より先に給水ホース２３または排水ホース２４に当接し、給水ホース２３、排水ホース２４が転倒防止金具２２と筐体１６との間に挟み込まれるのを防止するホース挟み込み防止部材２５を備えた食器洗い機である。【選択図】図１
2014018265.tif 000002
【特許請求の範囲】
【請求項１】
食器類を収容する洗浄槽を前後方向に移動可能に支持する筐体と、前記洗浄槽内に水を給水する給水ホース及び前記洗浄槽内の水を槽外へ排水する排水ホースと、設置台等に取り付け前記筐体を含む食器洗い機本体が手前に転倒するのを防止する転倒防止金具とを備え、前記給水ホースと前記排水ホースのうち少なくともいずれかのホースが前記筐体の背面から外部に垂下するように配設され、前記転倒防止金具は前記食器洗い機本体が後方へ移動するのを防止するように前記設置台等に取り付けられ、前記設置台は、前記転倒防止金具より先に前記垂下するように配設されたホースに当接し、前記垂下するように配設されたホースが前記転倒防止金具と前記筐体との間に挟み込まれるのを防止するホース挟み込み防止部材を備えた食器洗い機。
【請求項２】
前記ホース挟み込み防止部材は、上方から見て前側から後側に転倒防止金具から遠ざかる向きに傾斜するように構成された請求項１に記載の食器洗い機。
【請求項３】
前記ホース挟み込み防止部材は、前記設置台と一体に設けられた請求項１または２に記載の食器洗い機。
【発明の詳細な説明】
【技術分野】
【０００１】
本発明は、キッチンの流し台等の下に設置される食器を洗浄する設置型の食器洗い機に関する。
【背景技術】
【０００２】
従来、上方に開口部を有し食器類を収容する洗浄槽と、この洗浄槽を前後方向に移動可能に支持する板金製の筐体と、設置台等に取り付け前記筐体を含む食器洗い機本体が手前に移動するのを防止する前ずれ防止部材と、前記設置台等に取り付け食器洗い機本体が手前に転倒するのを防止する板金製の転倒防止金具とを備え、前記筐体の底面の四隅に脚となる凸部を形成し、前記転倒防止金具は食器洗い機本体が後方へ移動するのを防止するように設置台に取り付けた設置型の食器洗い機が提案されている（例えば、特許文献１参照）。
【０００３】
この種の食器洗い機は図１０〜図１１に示すように構成されていた。図１０は、従来の食器洗い機の側面断面図で、図１１は従来の食器洗い機の背面図である。以下、その構成について説明する。
【０００４】
筐体１６は、前方に開口部１７を有するとともに、上方が開口した洗浄槽３をレール４を介して前後方向に移動可能に支持している。洗浄槽３内には洗浄水を噴射するノズル５を回転自在に設けるとともに、食器類６を収容する食器かご７を配置している。洗浄槽３内の洗浄水はヒータ８によって温められながら、洗浄ポンプ９によって排水口１０より吸い込まれ、ノズル５へと送られる。ノズル５へ送られた洗浄水は洗浄槽３内へ噴射され、食器かご７に収容された食器類６を洗浄する。
【０００５】
脚１９は筐体１６の底面の四隅に形成した凸部により構成し、食器洗い機本体１８を設置台１３上に支持している。前ずれ防止部材２０は、食器洗い機本体１８を設置台１３の上の所定位置に設置し、洗浄槽３を手前に引き出すときの衝撃で、食器洗い機本体１８が手前に移動するのを防止するもので、ねじ等で設置台１３に固定し食器洗い機本体１８を構成する筐体１６に当接して保持している。
【０００６】
また転倒防止金具２２は、引き出した洗浄槽３に下向きに力が加えられたとき、食器洗い機本体１８が手前に転倒するのを防止するもので、ねじ等で設置台１３に固定し、食器洗い機本体１８を構成する筐体１６に係止し、食器洗い機本体１８が転倒するのを防止するとともに、後方へ移動することも防止するようにしている。
【０００７】
給水ホース２３は洗浄槽３内に水を給水するホース、排水ホース２４は洗浄槽３内の水を槽外へ排水するホースで、通常柔軟性のある塩ビ等の樹脂で形成されるとともに、筐体１６の背面上部から垂下するように配設されている。
【先行技術文献】
【特許文献】
【０００８】
【特許文献１】特開２００４−１４７７４０号公報
【発明の概要】
【発明が解決しようとする課題】
【０００９】
しかしながら、このような従来の食器洗い機においては、食器洗い機本体１８を設置する場合、設置台１３上を食器洗い機本体１８を前方から滑らして押し込んでいくが、この
とき、給水ホース２３または排水ホース２４が設置作業により転倒防止金具２２と筐体１６の間に挟まれ、転倒防止金具２２のエッジにより傷つくおそれがあった。
【００１０】
本発明は、前記従来の課題を解決するもので、設置の際、給水ホース２３または排水ホース２４が転倒防止金具２２と筐体１６の間に挟まれないようにし、給水ホース２３、排水ホース２４が傷つくことを防止するとともに、いちいち給水ホース２３、排水ホース２４を転倒防止金具２２から遠ざける位置に持ってくる等の配慮が不要である設置作業性に優れた食器洗い機を提供することを目的とする。
【課題を解決するための手段】
【００１１】
前記従来の課題を解決するために、本発明の食器洗い機は、食器類を収容する洗浄槽を前後方向に移動可能に支持する筐体と、前記洗浄槽内に水を給水する給水ホース及び前記洗浄槽内の水を槽外へ排水する排水ホースと、設置台等に取り付け前記筐体を含む食器洗い機本体が手前に転倒するのを防止する転倒防止金具とを備え、前記給水ホースと前記排水ホースのうち少なくともいずれかのホースが前記筐体の背面から外部に垂下するように配設され、前記転倒防止金具は前記食器洗い機本体が後方へ移動するのを防止するように前記設置台等に取り付けられ、前記設置台は、前記転倒防止金具より先に前記垂下するように配設されたホースに当接し、前記垂下するように配設されたホースが前記転倒防止金具と前記筐体との間に挟み込まれるのを防止するホース挟み込み防止部材を備えた食器洗い機である。
【００１２】
これにより、垂下するように配設された給水ホース、排水ホースが設置作業により転倒防止金具と筐体間に挟まれないようにし、給水ホース、排水ホースが傷つくことを防止するとともに、いちいち給水ホース、排水ホースを転倒防止金具から遠ざける位置に持ってくる等の配慮を不要にすることができる。
【発明の効果】
【００１３】
本発明の食器洗い機は、給水ホース、排水ホースが設置作業により転倒防止金具と筐体間に挟まれることを防止できるため、給水ホース、排水ホースが傷つくことを防止できるとともに、設置作業の際に、給水ホース、排水ホースを転倒防止金具から遠ざける位置に持ってくる等の配慮を不要にすることができる。
【図面の簡単な説明】
【００１４】
【図１】本発明の第１の実施の形態における食器洗い機の側面断面図
【図２】本発明の第１の実施の形態における食器洗い機の背面図
【図３】本発明の第１の実施の形態における食器洗い機の要部側面断面図
【図４】本発明の第１の実施の形態における食器洗い機の要部背面図
【図５】本発明の第１の実施の形態における食器洗い機の要部上面図
【図６】本発明の第１の実施の形態における食器洗い機の要部上面図
【図７】本発明の第１の実施の形態における食器洗い機の要部上面図
【図８】本発明の第２の実施の形態における食器洗い機の要部上面図
【図９】本発明の第３の実施の形態における食器洗い機の要部背面図
【図１０】従来の食器洗い機の縦断面図
【図１１】従来の食器洗い機の背面図
【発明を実施するための形態】
【００１５】
第１の発明は、食器類を収容する洗浄槽を前後方向に移動可能に支持する筐体と、前記洗浄槽内に水を給水する給水ホース及び前記洗浄槽内の水を槽外へ排水する排水ホースと、設置台等に取り付け前記筐体を含む食器洗い機本体が手前に転倒するのを防止する転倒防止金具とを備え、前記給水ホースと前記排水ホースのうち少なくともいずれかのホース
が前記筐体の背面から外部に垂下するように配設され、前記転倒防止金具は前記食器洗い機本体が後方へ移動するのを防止するように前記設置台等に取り付けられ、前記設置台は、前記転倒防止金具より先に前記垂下するように配設されたホースに当接し、前記垂下するように配設されたホースが前記転倒防止金具と前記筐体との間に挟み込まれるのを防止するホース挟み込み防止部材を備えた食器洗い機である。この構成によって、給水ホース、排水ホースが設置作業により転倒防止金具と筐体間に挟まれることを防止できる。従って、給水ホース、排水ホースが傷つくことを防止できるとともに、設置作業の際に、給水ホース、排水ホースを転倒防止金具から遠ざける位置に持ってくる等の配慮を不要にすることができる。
【００１６】
第２の発明は、第１の発明において、前記ホース挟み込み防止部材は、上方から見て前側から後側に転倒防止金具から遠ざかる向きに傾斜するように構成された食器洗い機で、設置作業に際し、給水ホース、排水ホースを転倒防止金具からより遠ざけることができ、設置作業性をより向上させることができる。
【００１７】
第３の発明は、第１または第２の発明において、前記ホース挟み込み防止部材は、前記設置台と一体に設けられたもので、別部材としたホース挟み込み防止部材をビス等で設置台に取り付ける必要がなく、設置作業性をより向上させることができるとともに、より安価な構成で実現することができる。
【００１８】
以下、本発明の実施の形態について、図面を参照しながら説明する。なお、この実施の形態によって本発明が限定されるものではない。
【００１９】
（実施の形態１）
図１は本発明の第１の実施の形態における食器洗い機の側面断面図で、食器洗い機がシステムキッチンに収納される位置より少し前方に飛び出した状態を示す。図２は同食器洗い機の背面図、図３は同食器洗い機の要部側面断面図、図４は同食器洗い機の要部背面図、図５、図６、図７は同食器洗い機の要部上面図である。
【００２０】
図１において、筐体１６は、前方に開口部１７を有するとともに、上方が開口した洗浄槽３をレール４を介して前後方向に移動可能に支持している。洗浄槽３内には洗浄水を噴射するノズル５が回転自在に設けられるとともに、食器類６を収容する食器かご７が配置されている。洗浄槽３内の洗浄水はヒータ８によって温められながら、洗浄ポンプ９によって排水口１０より吸い込まれ、ノズル５へと送られる。ノズル５へ送られた洗浄水は洗浄槽３内へ噴射され、食器かご７に収容された食器類６を洗浄する。
【００２１】
脚１９は筐体１６の底面の四隅に形成した凸部により構成され、食器洗い機本体１８を設置台１３上に支持している。前ずれ防止部材２０は、食器洗い機本体１８を設置台１３の上の所定位置に設置し、洗浄槽３を手前に引き出すときの衝撃で、食器洗い機本体１８が手前に移動するのを防止するもので、ねじ等で設置台１３に固定され、食器洗い機本体１８を構成する筐体１６に当接して保持している。
【００２２】
また、転倒防止金具２２は、引き出した洗浄槽３に下向きに力が加えられたとき、食器洗い機本体１８が手前に転倒するのを防止するとともに、食器洗い機本体１８が後方へ移動するのを防止するもので、図３に示すように、転倒防止取付部２２ａでねじ等で設置台１３に固定され、転倒防止取付部２２ａより高い位置に形成した係止部２２ｂで食器洗い機本体１８を構成する筐体１６を係止し、位置規制部２２ｃで筐体１６の後方への移動を防止している。
【００２３】
給水ホース２３は洗浄槽３内に水を給水するホース、排水ホース２４は洗浄槽３内の水
を槽外へ排水するホースで、通常柔軟性のある塩ビ等の樹脂で形成されている。給水ホース２３、排水ホース２４は、設置台１３への設置前の状態では、ともに筐体１６の背面上部から外部の下方に垂れ下がった状態、すなわち垂下するように配設されている。なお、これらのホースは必ずしも両方が垂下するように配設されているとは限らず、例えば、排水ホース２４は背面下部に引き出されているような場合もある。
【００２４】
設置台１３には、設置台１３に食器洗い機本体１８を前方から滑らして押し込んでいく時に前記転倒防止金具２２より先に垂下するように配設された給水ホース２３または排水ホース２４に当接し、給水ホース２３、排水ホース２４を転倒防止金具２２から遠ざけ、給水ホース２３、排水ホース２４が転倒防止金具２２と筐体１６の間に挟み込まれるのを防止するホース挟み込み防止部材２５がビス等で取り付けられている。
【００２５】
ホース挟み込み防止部材２５は、図４に示すように、設置台１３に取り付ける取付部２５ａと、取付部２５ａより高く形成され、ホース挟み込み防止の主機能を有する主部２５ｂと、取付部２５ａと主部２５ｂとを接続する略垂直に形成された接続部２５ｃとで構成され、背面から見て端部は略Ｚ字形状をなしている。主部２５ｂは、図３に示すように、略前半分を前方下方に向けて傾斜させ、その先端は取付部２５ａの底面とほぼ同じ高さとしてある。さらに、ホース挟み込み防止部材２５は、図３〜図５に示すように、主部２５ｂの一部が転倒防止金具２２の係止部２２ｂの下方に入り込むような位置に取り付けられている。
【００２６】
以上のように構成された食器洗い機について、図を用いてその動作と作用を説明する。食器洗い機本体１８を設置台１３に設置する場合、設置台１３に転倒防止金具２２をねじ等で固定し、食器洗い機本体１８を設置台１３上で前方から滑らせ転倒防止金具２２まで押し込み、前ずれ防止部材２０を設置台１３にねじ等で固定し、洗浄槽３を手前に引き出すときの衝撃で、食器洗い機本体１８が手前に移動しないようにする。この設置の際、給水ホース２３、排水ホース２４が転倒防止金具２２の前方に位置すると、食器洗い機本体１８を設置台１３上で後方に押し込んで滑らす際、転倒防止金具２２と筐体１６との間に挟まれやすくなる。
【００２７】
給水ホース２３、排水ホース２４は柔軟性のある塩ビ等の樹脂で形成されているため、食器洗い機本体１８を設置台１３上で前方から押し込んで設置する際の給水ホース２３、排水ホース２４の挙動は一定ではないが、その一例を図５〜図７を用いて説明する。ここでは、給水ホース２３を例にとって説明するが、排水ホース２４でも同様である。
【００２８】
食器洗い機本体１８を設置台１３に前方から押し込んでいくと、図５に示すように、給水ホース２３は、転倒防止金具２２の係止部２２ｂより先にホース挟み込み防止部材２５の主部２５ｂに当接する。食器洗い機本体１８をさらに押し込むと、図６に示すように、給水ホース２３は、ホース挟み込み防止部材２５の主部２５ｂの前半分の傾斜によって転倒防止金具２２から遠ざけられ、ホース挟み込み防止部材２５の接続部２５ｃの外側、すなわち転倒防止金具２２の側方へと導かれる。この時、背面から見ると、図４に示したような位置関係となっている。そして、食器洗い機本体１８を転倒防止金具２２によって後方への移動を規制される所定位置まで押し込むと、図７に示すように、給水ホース２３は、転倒防止金具２２と筐体１６との間に挟まれることなく、食器洗い機本体１８の設置台１３への設置は完了する。
【００２９】
以上のように、本実施の形態１の構成においては、設置台１３には、転倒防止金具２２より先に垂下するように配設された給水ホース２３または排水ホース２４に当接し、給水ホース２３、排水ホース２４を転倒防止金具２２から遠ざけ、給水ホース２３、排水ホース２４が筐体１６に挟み込まれるのを防止するホース挟み込み防止部材２５が取り付けら
れているため、給水ホース２３、排水ホース２４が転倒防止金具２２と筐体１６の間に挟み込まれるのを防止できるとともに、設置作業中に、いちいち給水ホース２３、排水ホース２４を転倒防止金具２２から遠ざける位置に持ってくる等の配慮を不要にすることができる。
【００３０】
なおホース挟み込み防止部材２５の形状は、給水ホース２３、排水ホース２４を転倒防止金具２２から遠ざけるものであれば、本実施の形態に記載の形状に限定されるものではない。
【００３１】
（実施の形態２）
図８は、本発明の第２の実施の形態の食器洗い機の要部を示した上面図である。なお、実施の形態１における食器洗い機と同一構成については、同一符号を付してその説明を省略する。本実施の形態２は、図８に示すように、ホース挟み込み防止部材２５の主部２５ｂの転倒防止金具２２から遠い方の側面を、上方から見て前側から後側に転倒防止金具２２から遠ざかる向きに傾斜させて構成したもので、他の構成は実施の形態１と同じである。
【００３２】
本実施の形態２では、食器洗い機本体１８が押し込まれるに従って垂下するように配設された給水ホース２３、排水ホース２４が当接しガイドされるホース挟み込み防止部材２５の主部２５ｂの側面を、上方から見て前側から後側に転倒防止金具２２から遠ざかる向きに傾斜させて構成したため、給水ホース２３、排水ホース２４を転倒防止金具２２から遠ざけ、転倒防止金具２２と筐体１６との間に挟み込まれることを防止する効果を高めることができる。
【００３３】
（実施の形態３）
図９は、本発明の第３の実施の形態の食器洗い機の要部を示した背面図である。本実施の形態３は、図９に示すように、実施の形態１におけるホース挟み込み防止部材２５を、設置台１３と一体に形成しホース挟み込み防止部２６としたもので、他の構成は実施の形態１と同じである。
【００３４】
本実施の形態３では、ホース挟み込み防止部材２５を、設置台１３と一体に設けたことにより、ホース挟み込み防止部材２５を設置台１３にビス等で固定する必要が無く設置の作業を簡素にできる。また、より安価に構成することができる。なお、ホース挟み込み防止部材２５と設置台１３との一体化は、設置台１３を樹脂製にすることで実現できる。
【産業上の利用可能性】
【００３５】
以上のように、本発明にかかる食器洗い機は、設置台への設置に際し、垂下するように配設された給水ホース、排水ホースが傷つくことを防止できるとともに、いちいち給水ホース、排水ホースを転倒防止金具から遠ざける位置に持ってくる等の配慮を不要にすることができるので、キッチンの流し台等の下に設置される設置型であれば、食器洗い機だけでなく、食器乾燥機としても有用である。
【符号の説明】
【００３６】
３  洗浄槽
６  食器類
１３  設置台
１６  筐体
１８  食器洗い機本体
１９  脚
２０  前ずれ防止部材
２２  転倒防止金具
２３  給水ホース
２４  排水ホース
２５  ホース挟み込み防止部材
２５ａ  取付部
２５ｂ  主部
２６  ホース挟み込み防止部
【図１】
2014018265.tif 000003
【図２】
2014018265.tif 000004
【図３】
2014018265.tif 000005
【図４】
2014018265.tif 000006
【図５】
2014018265.tif 000007
【図６】
2014018265.tif 000008
【図７】
2014018265.tif 000009
【図８】
2014018265.tif 000010
【図９】
2014018265.tif 000011
【図１１】
2014018265.tif 000012
【図１０】
2014018265.tif 000013